(57)【要約】      （修正有）【課題】運動・健康器具への取り付け及び取り外しが容易である装着式振動マッサージを提供する。【解決手段】装着式振動マッサージは、Ｕ字状の横長口１１付きの装置本体１０を有する。装置本体１０は、一つの振動マッサージ面１２と収納空間１３を有する。Ｕ字状の横長口１１は、Ｕ字状断面形状で、装置本体１０の片側を貫通した形状であり、噛むように既存の管状或いは柱状の目的物の外部に嵌められ、そして、目的物の伸び出た方向に沿ってスライド移動可能である。収納空間１３には、振動を生成する振動モーター２０及び電池セット３０が設けてある。装置本体１０の所定の位置に、振動モーター２０を制御する制御スイッチセット４０を設けて構成する。【選択図】図２
0003150363.tif 000002
【実用新案登録請求の範囲】
【請求項１】
Ｕ字状の横長口（１１）付きの装置本体（１０）を有し、
前記装置本体（１０）は、外部に、少なくとも一つの振動マッサージ面（１２）が形成してあり、
前記装置本体（１０）は、収納空間（１３）を有し、
前記Ｕ字状の横長口（１１）は、Ｕ字状断面形状で、前記装置本体（１０）の片側を貫通した形状であり、噛むように既存の管状或いは柱状の目的物の外部に嵌められ、そして、前記目的物の伸び出た方向に沿ってスライド移動可能であり、
振動を生成する振動モーター（２０）が前記装置本体（１０）の前記収納空間（１３）に設けてあり、
前記振動モーター（２０）の駆動に必要な電力を提供する電池セット（３０）が前記装置本体（１０）の前記収納空間（１３）に設けてあり、
前記装置本体（１０）の所定の位置に、前記振動モーター（２０）を制御する制御スイッチセット（４０）が、前記振動モーター（２０）及び電池セット（３０）と電気的に接続されて設けてある構成とした振動マッサージ装置。
【請求項２】
前記Ｕ字状の横長口（１１）の内壁は、アーク面形状である、請求項１に記載の振動マッサージ装置。
【請求項３】
前記装置本体（２０）は、取り外し式ケース（５０）を備えてなり、
前記取り外し式ケース（５０）は、内凹部を有し、該内凹部が前記収納空間（１３）を形成しており、
位置固定部品（５１）を有し、前記位置固定部品（５１）を締めることによって前記取り外し式ケース（５０）が前記装置本体（１０）に固定され、前記位置固定部品（５１）を緩めることによって前記位置固定部品（５１）が取り外される、請求項１に記載の振動マッサージ装置。
【請求項４】
前記装置本体（１０）には、前記電池セット（３０）に対応する部位に、前記電池セット３０の取り外しや交換に便利な可動カバー（７０）が設けてある、請求項１に記載の振動マッサージ装置。
【請求項５】
前記装置本体（１０）の振動マッサージ面（１２）には、間隔分布のマッサージフランジ（６０）が設けてある、請求項１に記載の振動マッサージ装置。
【考案の詳細な説明】
【技術分野】
【０００１】
本考案は装着式振動マッサージ装置に係り、特に、取り外しが簡単で桿体、管体目的物に適用する装着式振動マッサージ装置に関する。
【背景技術】
【０００２】
運動・健康器具を取り扱う業者は、使用者の様々なニーズを満足させるために、新しい機能やより多くの付加価値を有する運動・健康器具を次々と研究、開発している。
【０００３】
それで、業界で見た運動・健康器具の構造には、振動マッサージ装置が設けられ、それによって、使用者は運動中に、手で握ったり又は足で踏んだりして、振動マッサージ効果が同時に得られる。
【考案の概要】
【考案が解決しようとする課題】
【０００４】
しかし、従来のこの振動マッサージ装置は、当該運動・健康器具に一体化、固定されているため、当該器具の購入者だけが楽しめるが、既に運動器具などを有している人は、それを楽しめない。
【０００５】
上述の従来の振動マッサージ装置構造に存在する問題点について、より理想的で、実用性のあるオリジナルな構造を開発するのが、使用者の望むことであり、関連業者が努力して、研究開発し、突破すべき目標と方向でもある。
【０００６】
これらを鑑みて、本考案者は、関連製品の製造や開発設計に携わる長年の経験を持っており、上述の目標について詳しく設計し、慎重に評価したうえ、ようやく実用性のある本考案を完成した。  
本考案は、前記課題を解決した、装着式振動マッサージ装置を提供することを目的とする。
【課題を解決するための手段】
【０００７】
本考案の装着式振動マッサージ装置は、
Ｕ字状の横長口１１付きの装置本体１０を有し、
前記装置本体１０は、外部に、少なくとも一つの振動マッサージ面１２が形成してあり、
前記装置本体１０は、収納空間１３を有し、
前記Ｕ字状の横長口１１は、Ｕ字状断面形状で、前記装置本体１０の片側を貫通した形状であり、噛むように既存の管状或いは柱状の目的物の外部に嵌められ、そして、前記目的物の伸び出た方向に沿ってスライド移動可能であり、
振動を生成する振動モーター２０が前記装置本体１０の収納空間１３に設けてあり、
前記振動モーター２０の駆動に必要な電力を提供する電池セット３０が前記装置本体１０の前記収納空間１３に設けてあり、
前記装置本体１０の所定の位置に、前記振動モーター２０を制御する制御スイッチセット４０が、前記振動モーター２０及び電池セット３０と電気的に接続されて設けてある構成としたものである。
【考案の効果】
【０００８】
本考案になる装着式振動マッサージ装置によれば、運動器具に取り外し可能な状態で装着して使用することができるという効果を有する。
【図面の簡単な説明】
【０００９】
【図１】本考案の実施例１になる装着式振動マッサージ装置の斜視図である。
【図２】図１の装着式振動マッサージ装置の分解斜視図である。
【図３】図１の装着式振動マッサージ装置がランニングマシンの管部に取り付けられた状態を示す図である。
【図４】装着式振動マッサージ装置のＵ字状の横長口が管体目的物に嵌めてある部分を示す、図３中、IV-IV線に沿う拡大断面図である。
【図５】本考案の実施例２になる装着式振動マッサージ装置の斜視図である。
【図６】本考案の実施例３になる装着式振動マッサージ装置の斜視図である。
【図７】本考案の装着式振動マッサージ装置がフィットネスバイクランニングマシンに取り付けられた状態を示す斜視図である。
【図８】本考案の装着式振動マッサージ装置が目的物の伸び出た方向に沿ってスライド移動することを示す図である。
【図９】本考案の実施例４になる装着式振動マッサージ装置を分解して示す斜視図である。
【図１０】図９に示す装着式振動マッサージ装置の斜視図である。
【図１１】本考案の実施例５になる装着式振動マッサージ装置を分解して示す斜視図である。
【考案を実施するための形態】
【００１０】
以下、本考案の実施の形態について説明する。
【００１１】
図１〜図１１は、本考案の装着式振動マッサージ装置の好適な実施例であり、これらの実施例は説明用に限られ、本考案になる装着式振動マッサージ装置はこれらの構造に制限されない。
【実施例１】
【００１２】
図１及び図２は、本考案の実施例１になる装着式振動マッサージ装置Ａを示す。
【００１３】
装着式振動マッサージ装置Ａは、Ｕ字状(虎口状)の横長口１１付きの装置本体１０を有する。装置本体１０の外部には、少なくとも一つの振動マッサージ面１２が形成され、前記装置本体１０の内部には、収納空間１３を有する。
【００１４】
Ｕ字状の横長口１１は、Ｕ字状断面形状で、しかも、前記装置本体１０の片側を貫通した形状である。Ｕ字状の横長口１１の槽壁は、アーク面形状に設けてもよい。Ｕ字状の横長口１１は、噛むように、既存の円管或いは円筒物の外部に嵌められ、そして、円管或いは円筒物の延びている方向に沿ってスライド移動する。
【００１５】
振動生成のために、前記装置本体１０の収納空間１３に振動モーター２０が設けてある。
【００１６】
振動モーター２０に必要な電力を提供するために、装置本体１０の収納空間１３に電池セット３０が設けてある。
【００１７】
装置本体１０の所定の箇所に、振動モーター２０と電池セット３０とを電気接続させる制御スイッチセット４０が備えてあり、制御スイッチセット４０を操作することによって、振動モーター２０の駆動、停止が制御される。
【００１８】
図２に示すように、装置本体１０は、取り外し式ケース５０を備えてなる。取り外し式ケース５０は、内凹部があり、これによって収納空間１３が形成される。
【００１９】
例えばボルトである位置固定部品５１を締めることによって前記取り外し式ケース５０が前記装置本体１０に固定され、前記位置固定部品５１を緩めることによって前記位置固定部品５１が取り外される。これにより内部の電池セット３０の取り外しや交換が便利になる。
【実施例２】
【００２０】
図５は、本考案の実施例２になる装着式振動マッサージ装置Ａを示す。
【００２１】
装置本体１０の振動マッサージ面１２には、間隔分布のマッサージフランジ６０が設けてある。バンプ状、半円突出粒等形状に設けてもよい。これによって、より良いマッサージ効果が得られる。
【実施例３】
【００２２】
図６は、本考案の実施例３になる装着式振動マッサージ装置Ａを示す。
【００２３】
図６に示す装着式振動マッサージ装置Ａは、電池セット３０の交換に便利な別の形態である。装置本体１０の収納空間１３に対応する電池セット３０入れの当該側には可動カバー７０が設けられており、そこで、可動カバー７０を開くと、開き口状態となり、電池セット３０の取り外しや交換が便利になる。
【００２４】
制御スイッチセット４０は、プッシュ式開閉形式（図１、図２、図４）、又は切替式開閉形式（図５）でよい。また、制御スイッチセット４０は、制御に便利なように装置本体１０の上面やサイドの位置に設けてある。
【００２５】
次に、上記構成の振動マッサージ装置Ａの使用動作について説明する。
【００２６】
図３に示すように、装着式振動マッサージ装置Ａは、既存の運動・健康器具８０（本実施例は、ランニングマシンを例にする場合）の管部８１に取り付けられる。
【００２７】
これによって、運動中にも、マッサージによるストレス解消効果を兼ね備える効果があり、管部８１は、運動・健康器具８０の取っ手管８１ａ又は台座管８１ｂなどの部位でよい。装着式振動マッサージ装置Ａにおいて、Ｕ字状の横長口１１は噛み合い形式により、管部８１の外部に素早く取り付けられる（図４）。
【００２８】
また、それを取り外すとき、少し力を入れれば、前記装着式振動マッサージ装置Ａが管部８１から離れることになるため、取り外しや取り付けも非常に便利で、素早く行われる。
【００２９】
装着式振動マッサージ装置Ａを、運動・健康器具８０の取っ手管８１ａに取り付けた実施形態においては、使用者は、先ず、制御スイッチセット４０を押して、振動モーター２０を起動させ、装着式振動マッサージ装置Ａに振動を生成させた状態で、そこで、手で振動マッサージ面１２の外部を握ると、手への振動マッサージが行われ、ストレス解消やリラックスなど健康補助によい効果が達成される。装着式振動マッサージ装置Ａを、運動・健康器具８０の台座管８１ｂに取り付けた実施形態においては、使用者は、足の裏への振動マッサージを行うことが出来る。
【００３０】
図７は、装着式振動マッサージ装置Ａをもう一つの運動・健康器具８０Ｂ（本実施例はフィットネスバイクを例にした場合）に取り付けた実施形態を示す。装着式振動マッサージ装置Ａは、運動・健康器具８０Ｂの取っ手部８１ｃの管部８１の外部に設けられ、使用者の手への振動マッサージ効果が達成される。
【００３１】
図８に示すように、装着式振動マッサージ装置Ａは、目的物（本実施例は管部８１の場合）の外部に設けられた場合、そのＵ字状の横長口１１の噛み合い形式の嵌め方により、目的物の伸び出た方向に沿って、スライド移動可能である状態となる。即ち、装着式振動マッサージ装置Ａの取り付けでは、位置の移動状態が調整可能となり、使用者が必要性に応じて、その調整が簡単に行われるので、利便性がよい。
【００３２】
上述の実施例のほかに、前記装着式振動マッサージ装置Ａは、既存の椅子の管部への取り付けにより、椅子の使用中にも振動マッサージ效果が同時に楽しめる。例えば、装着式振動マッサージ装置Ａを椅子の取っ手管に取り付けた場合には、使用者が椅子に坐りながら、手へのマッサージが行われる。
【実施例４】
【００３３】
図９及び図１０は、本考案の実施例４になる装着式振動マッサージ装置Ａ２を示す。振動マッサージ装置Ａ２は、図１に示す前記の振動マッサージ装置Ａと相違する点は、Ｕ字状の横長口１１が単独作製の第二本体９０に形成してあり、第二本体９０と装置本体１０と組み合わされている点である。
【００３４】
装置本体１０の一端面の両側に相対して横向き嵌めスライド溝１４が形成してある。第二本体９０には、横向き嵌めスライド溝１４に合わせて嵌縁部９１が形成してある。
【００３５】
第二本体９０の嵌縁部９１が横向きで横向き嵌めたスライド溝１４に嵌め込んであり、第二本体９０と装置本体１０とが組み合わせ状態の位置が固定されている。
【００３６】
電池セット３０の交換に便利な可動カバー７０は、装置本体１０の横向き嵌めたスライド溝１４の端面に設けてある。それにより、前記第二本体９０を組み合わせたとき、可動カバー７０が隠され、第二本体９０を取り外したとき、可動カバー７０が露出されることになるため、内部の電池セット３０の交換が便利になる。
【００３７】
また、本実施例構造のもう一つの長所として、第二本体９０と装置本体１０との組み合わせ、取り外しの特色を利用して、異なった形態の第二本体９０を設けることが可能となる。
【実施例５】
【００３８】
図１１は、本考案の実施例５になる装着式振動マッサージ装置を示す。
【００３９】
図１１に示すのは、もう一つの第二本体９０Ｂの形態であり、前記嵌縁部９１の上に使用者が握るための取っ手部９２（Ｔ形、逆Ｕ形などの形態が可能）を有する。この構成により、Ｕ字状の横長口１１付きの第二本体９０を装置本体１０に取り付けて、既存目的物の管部に取り付けることができるほかに、その代わりに取っ手部９２付きの第二本体９０Ｂを取り付けて、手持ち式マッサージができるので、使用者の多様なニーズを満足させることができる。
【００４０】
本考案に掲げた「取り外し便利な装着式振動マッサージ装置」は、前記装置本体の有するＵ字状の横長口、内蔵電池セットと制御スイッチセットによるオリジナルな構造設計であり、装着式振動マッサージ装置は、既存管体や柱体目的物に素早く取り付けられ、しかも独立した電力の供給と制御を行う特色があるため、随時取り外し可能な利便性を有するものであり、具体的な応用では、既存の運動・健康器具の管部（例えば、取っ手管、台座管等）に取り付けて、運動中にも、マッサージのストレス解消効果を兼ね備える実用性・進歩性があり、使用者の様々なニーズを満足させることができる。  
なお、前記装着式振動マッサージ装置は、管柱状目的物の外部に取り付けられた場合、前記目的物の伸び出た方向に沿って、スライド移動する状態になるが、すなわち、前記装着式振動マッサージ装置の取り付けでは、位置の移動状態が調整可能となり、使用者が必要性に応じて、その調整が簡単に行われるので、利便性がよい。
【００４１】
上述の実施例に掲げたのは、本考案を具体的に説明するための内容であり、文中で専門用語で説明してきたが、それらによって本考案の請求の範囲を制限してはならず、この技術分野が分かる者は、本考案のコンセプトや考えなどを理解して、その改造や変更などを行って同等な目的を得たとしても、それらの改造や変更などはすべて後述の請求の範囲に含まれるものである。  
【符号の説明】
【００４２】
Ａ  装着式振動マッサージ装置
１０  装置本体
１１  Ｕ字状の横長口
１２  振動マッサージ面
１３  収納空間
１４  スライド溝
２０  振動モーター
３０  電池セット
４０  制御スイッチセット
５０  取り外し式ケース
５１  位置固定部品
６０  マッサージフランジ
７０  可動カバー
８０、８０Ｂ  運動・健康器具
８１  管部
９０、９０Ｂ  第二本体
９１  嵌縁部
９２  取っ手部
【図１】
0003150363.tif 000003
【図２】
0003150363.tif 000004
【図３】
0003150363.tif 000005
【図４】
0003150363.tif 000006
【図５】
0003150363.tif 000007
【図６】
0003150363.tif 000008
【図７】
0003150363.tif 000009
【図８】
0003150363.tif 000010
【図９】
0003150363.tif 000011
【図１０】
0003150363.tif 000012
【図１１】
0003150363.tif 000013